(57)【要約】【課題】建物に全館空調システムを導入する場合に、その建物の間取りに応じて適切な還流経路を設計することができる設計支援システムを提供する。【解決手段】設計支援装置は、取得した建物の間取り情報を表示部に表示させる間取り表示部４２と、ユーザの操作に基づき、表示部に表示された間取り画面上に空調設置位置を設定するとともに、吹出設置位置を複数箇所に設定する設定部４３，４４と、設定された各吹出設置位置及び空調設置位置に基づき、各吹出設置位置ごとに、吹出設置位置から空調設置位置へと至るよう還流経路を間取り画面上に作成する還流経路作成部４５と、作成された還流経路に含まれる通気部について、その通気部を経由する還流経路の数を判定する経路数判定部４６と、経路数判定部４６の判定結果に基づき、当該通気部について、その種類を、開口面積の異なる複数種類の通気部候補の中から選んで決定する通気部種類決定部４９とを備える。【選択図】      図２
2019046393.tif 000002
【特許請求の範囲】
【請求項１】
建物に全館空調システムを導入する際の設計支援を行う設計支援システムであって、
前記建物は、仕切部により仕切られた複数の屋内空間を備え、前記仕切部には隣接する屋内空間を通気可能に連通する通気部が設けられ、
前記全館空調システムは、空調空気を生成する空調機と、その空調機から供給される空調空気を前記屋内空間に吹き出す複数の吹出部とを有し、
前記全館空調システムでは、前記各吹出部より吹き出した空調空気が前記通気部を含む還流経路を通じて還気部へと還流し、その還気部では還流した空調空気が還気として取り込まれ、その取り込まれた還気をもとに前記空調機にて空調空気が生成される構成となっており、
前記全館空調システムが導入される前記建物について、その間取りに関する間取り情報を取得する取得手段と、
その取得手段により取得された間取り情報をディスプレイに間取り画面として表示させる表示手段と、
ユーザの操作に基づき、前記ディスプレイに表示された前記間取り画面上に、前記吹出部を設置する吹出設置位置を複数箇所に設定するとともに、前記還気部を設置する還気設置位置を設定する設定手段と、
前記設定手段により設定された前記各吹出設置位置及び前記還気設置位置に基づき、前記各吹出設置位置ごとに、前記吹出設置位置から前記還気設置位置へと至るよう前記還流経路を前記間取り画面上に作成する還流経路作成手段と、
前記還流経路作成手段により作成された前記各還流経路に基づいて、作成された還流経路に含まれる前記通気部について、その通気部を経由する前記還流経路の数を判定する経路数判定手段と、
前記経路数判定手段の判定結果に基づき、当該通気部について、その種類を、開口面積の異なる複数種類の通気部候補の中から選んで決定する通気部種類決定手段と、
を備えることを特徴とする設計支援システム。
【請求項２】
前記間取り画面上に表示された前記建物内の各屋内空間のうち、前記設定手段により前記還気設置位置が設定された前記屋内空間は還気空間部であり、
前記還流経路作成手段により作成された還流経路に含まれる前記通気部が、前記還気空間部を区画する前記仕切部に設けられた第１通気部であるか、それ以外の前記仕切部に設けられた第２通気部であるかを判定する通気部位置判定手段を備え、
前記通気部種類決定手段は、前記通気部位置判定手段の判定結果に基づいて、当該通気部の種類を決定することを特徴とする請求項１に記載の設計支援システム。
【請求項３】
建物に全館空調システムを導入する際の設計支援を行う設計支援システムであって、
前記建物は、仕切部により仕切られた複数の屋内空間を備え、前記仕切部には隣接する屋内空間を通気可能に連通する通気部が設けられ、
前記全館空調システムは、空調空気を生成する空調機と、その空調機から供給される空調空気を前記屋内空間に吹き出す複数の吹出部とを有し、
前記全館空調システムでは、前記各吹出部より吹き出した空調空気が前記通気部を含む還流経路を通じて還気部へと還流し、その還気部では還流した空調空気が還気として取り込まれ、その取り込まれた還気をもとに前記空調機にて空調空気が生成される構成となっており、
前記全館空調システムが導入される前記建物について、その間取りに関する間取り情報を取得する取得手段と、
その取得手段により取得された間取り情報に基づき、その間取り情報上に、前記吹出部を設置する吹出設置位置を複数箇所に設定するとともに、前記還気部を設置する還気設置位置を設定する設定手段と、
前記設定手段により設定された前記各吹出設置位置及び前記還気設置位置に基づき、前記各吹出設置位置ごとに、前記吹出設置位置から前記還気設置位置へと至るよう前記還流経路を前記間取り情報上に作成する還流経路作成手段と、
前記還流経路作成手段により作成された前記各還流経路に基づいて、作成された還流経路に含まれる前記通気部について、その通気部を経由する前記還流経路の数を判定する経路数判定手段と、
前記経路数判定手段の判定結果に基づき、当該通気部について、その種類を、開口面積の異なる複数種類の通気部候補の中から選んで決定する通気部種類決定手段と、
を備えることを特徴とする設計支援システム。
【請求項４】
前記間取り情報に含まれる前記建物内の各屋内空間のうち、前記設定手段により前記還気設置位置が設定された前記屋内空間は還気空間部であり、
前記還流経路作成手段により作成された還流経路に含まれる前記通気部が、前記還気空間部を区画する前記仕切部に設けられた第１通気部であるか、それ以外の前記仕切部に設けられた第２通気部であるかを判定する通気部位置判定手段を備え、
前記通気部種類決定手段は、前記通気部位置判定手段の判定結果に基づいて、当該通気部の種類を決定することを特徴とする請求項３に記載の設計支援システム。
【請求項５】
前記還流経路作成手段により作成された各還流経路に含まれる前記第１通気部の数が１つであるのか複数であるのかを判定する個数判定手段を備え、
前記通気部種類決定手段は、前記第１通気部については、前記個数判定手段の判定結果に基づき、その種類を決定することを特徴とする請求項２又は４に記載の設計支援システム。
【請求項６】
前記通気部種類決定手段は、前記個数判定手段により前記第１通気部の数が１つであると判定された場合には、当該第１通気部の種類として、前記複数種類の通気部候補の中で最も開口面積の大きい通気部候補を選び決定することを特徴とする請求項５に記載の設計支援システム。
【請求項７】
前記複数種類の通気部候補には、上下に並設された複数のスラットを有するルーバが含まれており、
前記ルーバとしては、前記各スラットが水平向きとされた水平ルーバと、前記各スラットが傾斜向きとされた傾斜ルーバとがあり、
前記水平ルーバは、前記複数種類の通気部候補のうちで、開口面積が最も大きいことを特徴とする請求項６に記載の設計支援システム。
【発明の詳細な説明】
【技術分野】
【０００１】
本発明は、建物に全館空調システムを導入する際の設計支援を行う設計支援システムに関するものである。
【背景技術】
【０００２】
住宅等の建物では、共通の空調装置を用いて全館空調を行う全館空調システムが設けられている場合がある（例えば特許文献１参照）。全館空調システムでは、機械室に設置された空調装置が、その機械室内の空気を取り込んで空調空気（すなわち冷気又は暖気）を生成するとともに、その生成した空調空気を空調対象である複数の部屋へ通気ダクトを介して供給するようになっている。この場合、空調対象である各部屋には、その天井等に空調空気を吹き出す吹出部（吹出口）が設けられ、これら吹出部に空調空気が通気ダクトを介して供給される。そして、その供給された空調空気が各吹出部から空調対象の部屋に吹き出され、その吹き出された空調空気によって各部屋の冷暖房が行われるようになっている。
【０００３】
全館空調システムが設けられた建物では、一般に各部屋に供給された空調空気が機械室へ還流する（戻る）還流経路（リターン経路）が設けられている。この還流経路は、隣接する部屋間に形成された通気部（通気口）を経由する経路となっており、この通気部は例えば出入口ドアのアンダーカット部等により形成されている。この場合、空調装置は機械室に還流した空気を取り込む還気部を有し、その還気部より取り込んだ空気をもとに空調空気を生成する。したがって、この場合、建物内において空調空気を循環させながら、各部屋の空調が行われることになる。
【先行技術文献】
【特許文献】
【０００４】
【特許文献１】特開２０１６−１３０６２４号公報
【発明の概要】
【発明が解決しようとする課題】
【０００５】
ところで、上述した循環式の全館空調システムでは、各吹出部から吹き出した空調空気が還流経路を通じて機械室へ還流する際、それら還流する空調空気が途中で合流することが考えられる。この場合、その合流した空調空気が隣接する部屋間の通気部を通じて流れるに際し、当該通気部を通過する空調空気の量が多くなると考えられるため、空調空気の通過に際し風切り音が発生するおそれがある。
【０００６】
そこで、風切り音の発生を抑制するために、建物における各通気部についてそれぞれ開口面積（通気開口面積）を大きくすることが考えられる。しかしながら、そのようにすると、空調空気の通過量が少ない通気部等、本来開口面積を大きくしなくてもよい通気部についても開口面積を大きくすることになるため、通気部を通じた光漏れや意匠性の低下の問題が生じ易くなってしまう。
【０００７】
また、全館空調システムを建物に導入する場合に、その建物においていずれの通気部で風切り音が発生するかを見極め、その通気部についてのみ開口面積を大きくするという対応をとることも考えられる。しかしながら、空調空気の還流する還流経路は建物の間取りごとにそれぞれ異なるものであるため、各建物ごとに、そのような対応をとるのは困難であると考えられる。
【０００８】
本発明は、上記事情に鑑みてなされたものであり、建物に全館空調システムを導入する場合に、その建物の間取りに応じて適切な還流経路を設計することができる設計支援システムを提供することを主たる目的とするものである。
【課題を解決するための手段】
【０００９】
上記課題を解決すべく、第１の発明の設計支援システムは、建物に全館空調システムを導入する際の設計支援を行う設計支援システムであって、前記建物は、仕切部により仕切られた複数の屋内空間を備え、前記仕切部には隣接する屋内空間を通気可能に連通する通気部が設けられ、前記全館空調システムは、空調空気を生成する空調機と、その空調機から供給される空調空気を前記屋内空間に吹き出す複数の吹出部とを有し、前記全館空調システムでは、前記各吹出部より吹き出した空調空気が前記通気部を含む還流経路を通じて還気部へと還流し、その還気部では還流した空調空気が還気として取り込まれ、その取り込まれた還気をもとに前記空調機にて空調空気が生成される構成となっており、前記全館空調システムが導入される前記建物について、その間取りに関する間取り情報を取得する取得手段と、その取得手段により取得された間取り情報をディスプレイに間取り画面として表示させる表示手段と、ユーザの操作に基づき、前記ディスプレイに表示された前記間取り画面上に、前記吹出部を設置する吹出設置位置を複数箇所に設定するとともに、前記還気部を設置する還気設置位置を設定する設定手段と、前記設定手段により設定された前記各吹出設置位置及び前記還気設置位置に基づき、前記各吹出設置位置ごとに、前記吹出設置位置から前記還気設置位置へと至るよう前記還流経路を前記間取り画面上に作成する還流経路作成手段と、前記還流経路作成手段により作成された前記各還流経路に基づいて、作成された還流経路に含まれる前記通気部について、その通気部を経由する前記還流経路の数を判定する経路数判定手段と、前記経路数判定手段の判定結果に基づき、当該通気部について、その種類を、開口面積の異なる複数種類の通気部候補の中から選んで決定する通気部種類決定手段と、を備えることを特徴とする。
【００１０】
本発明によれば、全館空調システムが導入される建物について、その建物の間取り情報が取得されると、その取得された間取り情報が表示部に間取り画面として表示される。その間取り画面上には、ユーザの操作に基づき、各吹出部の設置位置（吹出設置位置）と還気部の設置位置（還気設置位置）とが設定され、それら各設置位置が設定されると、各吹出設置位置ごとに吹出設置位置から還気設置位置へと至るよう還流経路が間取り画面上に作成される。
【００１１】
各還流経路が作成されると、それら作成された還流経路に基づき、それら還流経路に含まれる通気部について、その通気部を経由する還流経路の数が判定される。そして、その判定の結果に基づき、当該通気部について、その種類が、開口面積の異なる複数種類の通気部候補の中から選ばれて決定される。これにより、通気部を経由する還流経路の数が多い場合、つまり当該通気部を流れる空調空気の量が多くなると考えられる場合には、当該通気部の種類として開口面積の大きい通気部候補を選んで決定することができる。そのため、当該通気部において風切り音の発生を抑制することができる。また、通気部を経由する還流経路の数が少ない場合、つまり当該通気部を流れる空調空気の量が少なくなると考えられる場合には、当該通気部の種類として開口面積の小さい通気部候補を選んで決定することができる。そのため、当該通気部において光漏れや意匠性低下の問題が生じるのを抑制することができる。このように、本設計支援システムによれば、全館空調システムが導入される建物の間取りに応じて、還流経路に含まれる通気部について適切な開口面積を有するものを設定することが可能となる。そのため、建物の間取りに応じて適切な還流経路を設計することが可能となる。
【００１２】
なお、全館空調システムにおいて、還気部は、例えば空調機に一体で設けられる。また、還気部は、空調機と通気ダクトを介して接続されていてもよく、その場合、還気部で取り込まれた還気は通気ダクトを介して空調機に供給されることになる。
【００１３】
第２の発明の設計支援システムは、第１の発明において、前記間取り画面上に表示された前記建物内の各屋内空間のうち、前記設定手段により前記還気設置位置が設定された前記屋内空間は還気空間部であり、前記還流経路作成手段により作成された還流経路に含まれる前記通気部が、前記還気空間部を区画する前記仕切部に設けられた第１通気部であるか、それ以外の前記仕切部に設けられた第２通気部であるかを判定する通気部位置判定手段を備え、前記通気部種類決定手段は、前記通気部位置判定手段の判定結果に基づいて、当該通気部の種類を決定することを特徴とする。
【００１４】
還気部が設けられる屋内空間は、各吹出部からの空調空気が流れ込む空間であるため、他の屋内空間と比べると正圧になり易いと考えられる。このため、還気部が設けられる屋内空間では、流れ込んだ空調空気が、正圧により通気部を通じて屋内空間の外に押し出される場合が想定され、その際に風切り音が発生することが考えられる。そこで本発明では、その点を鑑み、間取り画面上に作成された還流経路に含まれる通気部が、還気空間部（還気設置位置が設定された屋内空間）を区画する仕切部に設けられた第１通気部であるのか、それ以外の仕切部に設けられた第２通気部であるのかを判定し、その判定の結果に基づき、当該通気部の種類を決定するようにしている。この場合、通気部が第１通気部である場合には、その種類を開口面積の比較的大きなものとすることで、風切り音の発生を好適に抑制することができる。
【００１５】
第３の発明の設計支援システムは、建物に全館空調システムを導入する際の設計支援を行う設計支援システムであって、前記建物は、仕切部により仕切られた複数の屋内空間を備え、前記仕切部には隣接する屋内空間を通気可能に連通する通気部が設けられ、前記全館空調システムは、空調空気を生成する空調機と、その空調機から供給される空調空気を前記屋内空間に吹き出す複数の吹出部とを有し、前記全館空調システムでは、前記各吹出部より吹き出した空調空気が前記通気部を含む還流経路を通じて還気部へと還流し、その還気部では還流した空調空気が還気として取り込まれ、その取り込まれた還気をもとに前記空調機にて空調空気が生成される構成となっており、前記全館空調システムが導入される前記建物について、その間取りに関する間取り情報を取得する取得手段と、その取得手段により取得された間取り情報に基づき、その間取り情報上に、前記吹出部を設置する吹出設置位置を複数箇所に設定するとともに、前記還気部を設置する還気設置位置を設定する設定手段と、前記設定手段により設定された前記各吹出設置位置及び前記還気設置位置に基づき、前記各吹出設置位置ごとに、前記吹出設置位置から前記還気設置位置へと至るよう前記還流経路を前記間取り情報上に作成する還流経路作成手段と、前記還流経路作成手段により作成された前記各還流経路に基づいて、作成された還流経路に含まれる前記通気部について、その通気部を経由する前記還流経路の数を判定する経路数判定手段と、前記経路数判定手段の判定結果に基づき、当該通気部について、その種類を、開口面積の異なる複数種類の通気部候補の中から選んで決定する通気部種類決定手段と、を備えることを特徴とする。
【００１６】
本発明によれば、全館空調システムが導入される建物について、その建物の間取り情報が取得されると、その取得された間取り情報に基づき、当該間取り情報上に各吹出部の設置位置（吹出設置位置）と還気部の設置位置（還気設置位置）とが設定される。この場合、建物の間取りに応じて吹出設置位置と還気設置位置とが自動で設定されるため、還流経路を設計する上でその作業を容易とすることができる。そして、吹出設置位置と還気設置位置とが設定されると、各吹出設置位置ごとに吹出設置位置から還気設置位置へと至るよう還流経路が間取り情報上に作成され、それら作成された還流経路に基づき、それら還流経路に含まれる通気部について、その通気部を経由する還流経路の数が判定される。そして、その判定の結果に基づき、当該通気部について、その種類が、開口面積の異なる複数種類の通気部候補の中から選ばれて決定される。これにより、上記第１の発明と同様の効果を得ることができる。
【００１７】
第４の発明の設計支援システムは、第３の発明において、前記間取り情報に含まれる前記建物内の各屋内空間のうち、前記設定手段により前記還気設置位置が設定された前記屋内空間は還気空間部であり、前記還流経路作成手段により作成された還流経路に含まれる前記通気部が、前記還気空間部を区画する前記仕切部に設けられた第１通気部であるか、それ以外の前記仕切部に設けられた第２通気部であるかを判定する通気部位置判定手段を備え、前記通気部種類決定手段は、前記通気部位置判定手段の判定結果に基づいて、当該通気部の種類を決定することを特徴とする。
【００１８】
本発明によれば、上記第２の発明と同様の効果を得ることができる。
【００１９】
第５の発明の設計支援システムは、第２又は第４の発明において、前記還流経路作成手段により作成された各還流経路に含まれる前記第１通気部の数が１つであるのか複数であるのかを判定する個数判定手段を備え、前記通気部種類決定手段は、前記第１通気部については、前記個数判定手段の判定結果に基づき、その種類を決定することを特徴とする。
【００２０】
ところで、還気空間部を区画する仕切部に設けられた第１通気部の数が１つである場合には、第１通気部の数が複数である場合と比べて、還気空間部に空調空気が流れ込んだ際正圧になり易いと考えられる。そのため、還気空間部において風切り音が発生し易くなると考えられる。そこで本発明では、その点を鑑みて、第１通気部の数が１つであるか複数であるかを判定し、その判定の結果に基づいて、第１通気部の種類を決定するようにしている。これにより、第１通気部の数が１つである場合には、第１通気部の種類を開口面積の大きいものとすることで、風切り音の発生を好適に抑制することができる。
【００２１】
第６の発明の設計支援システムは、第５の発明において、前記通気部種類決定手段は、前記個数判定手段により前記第１通気部の数が１つであると判定された場合には、当該第１通気部の種類として、前記複数種類の通気部候補の中で最も開口面積の大きい通気部候補を選び決定することを特徴とする。
【００２２】
本発明によれば、第１通気部の数が１つである場合に、当該第１通気部で風切り音が発生するのを確実に抑制することができる。
【００２３】
第７の発明の設計支援システムは、第６の発明において、前記複数種類の通気部候補には、上下に並設された複数のスラットを有するルーバが含まれており、前記ルーバとしては、前記各スラットが水平向きとされた水平ルーバと、前記各スラットが傾斜向きとされた傾斜ルーバとがあり、前記水平ルーバは、前記複数種類の通気部候補のうちで、開口面積が最も大きいことを特徴とする。
【００２４】
本発明によれば、第１通気部の数が１つである場合に、当該第１通気部の種類が水平ルーバとして決定される。これにより、光漏れや意匠性の低下を抑制しながら、当該第１通気部にて風切り音の発生を確実に抑制することができる。
【図面の簡単な説明】
【００２５】
【図１】設計支援装置の電気的構成を示す図。
【図２】設計支援処理の流れを示す機能ブロック図。
【図３】全館空調システムが導入された建物の間取りを示す平面図。
【図４】表示部に建物の間取り画面Ｃが表示された状態を示す図。
【図５】表示部に建物の間取り画面Ｃが表示された状態を示す図。
【図６】複数種類の通気部候補を説明するための図。
【図７】通気部種類決定処理の流れを示すフローチャート。
【図８】全館空調システムが導入された建物の別例を示す平面図。
【発明を実施するための形態】
【００２６】
以下に、本発明を具体化した一実施の形態について図面を参照しつつ説明する。本実施形態では、建物に全館空調システムを導入する際の設計支援を行う設計支援装置について具体化している。以下では、その設計支援装置の説明を行うのに先立ち、まず全館空調システムの概要について説明する。図３は、全館空調システムが導入された建物の間取りを示す平面図である。
【００２７】
図３に示すように、建物１０には、屋内空間（部屋）として、玄関ホール１１と、リビングダイニング（ＬＤ）１２と、キッチン１３と、和室１４と、洗面室１５と、浴室１６と、トイレ１７と、機械室１８とが設けられている。これらの屋内空間１１〜１８は仕切部１９により互いに仕切られている。仕切部１９は、間仕切壁やドア等を含んで構成され、隣接する屋内空間を互いに仕切っている。また、仕切部１９には、隣接する屋内空間を通気可能に連通する通気部２５が設けられている。通気部２５としては、ドア下に形成されるアンダーカット部や、ドアや間仕切壁に設けられる通気ルーバ等が挙げられる。
【００２８】
建物１０には、全館空調システム２０が導入されている。全館空調システム２０は、機械室１８に設置された空調機２１により、複数の屋内空間を空調対象として空調（冷暖房）を行うものである。空調機２１は、冷房機能及び暖房機能を有する室内機として構成されている。空調機２１は、機械室１８内の空気を取り込む取込部２３を有し、その取込部２３より取り込んだ空気を温度調整することで空調空気（冷房空気又は暖房空気）を生成する。なお、取込部２３が還気部に相当する。
【００２９】
建物１０には、複数の屋内空間に吹出口２２が設けられている。吹出口２２は、玄関ホール１１、リビングダイニング１２、キッチン１３及び洗面室１５にそれぞれ設けられ、例えばそれら屋内空間１１〜１３，１５の床に配置されている。これらの吹出口２２はいずれも、空調機２１と空調ダクト（図示略）を介して接続されている。空調ダクトは、例えば建物１０において床下に配設されている。これにより、空調機２１により生成された空調空気が空調ダクトを介して各吹出口２２に供給され、それら供給された空調空気が各吹出口２２より屋内空間１１〜１３，１５に吹き出されるようになっている。そして、それら吹き出された空調空気（冷気又は暖気）により、各屋内空間１１〜１３，１５の冷暖房が行われるようになっている。なお、吹出口２２が吹出部に相当する。
【００３０】
各吹出口２２より吹き出された空調空気はそれぞれ、建物１０内の還流経路Ｓを通じて機械室１８内の空調機２１へと還流する。還流経路Ｓは、吹出口２２より吹き出された空調空気を空調機２１（換言すると取込部２３）へと還流させる経路であり、通気部２５を含む（経由する）経路となっている。還流経路Ｓは各吹出口２２ごとに設けられ、それら各還流経路Ｓは途中で合流して空調機２１に至っている。これら還流経路Ｓを通じて空調空気が空調機２１（機械室１８内）に還流すると、その空調空気が空調機２１の取込部２３より還気として取り込まれる。そして、その取り込まれた還気をもとに空調機２１により空調空気が（再度）生成される。このように、全館空調システムは、屋内の空気を循環させながら空調を行う循環式の空調システムとなっている。
【００３１】
なお、機械室１８は、周囲が仕切部１９と外壁部とを含む囲い部により囲まれた閉空間となっている。また、機械室１８は物品を収納する収納室としても利用されている。
【００３２】
続いて、設計支援装置３０について図１に基づいて説明する。図１は、設計支援装置３０の電気的構成を示す図である。なお、設計支援装置３０は、例えば建物メーカに設けられている。
【００３３】
図１に示すように、設計支援装置３０は、パーソナルコンピュータにより構成され、建物を設計するためのＣＡＤプログラムを有している。設計支援装置３０は、そのＣＡＤプログラムを用いて設計された建物を対象として、その建物に全館空調システムを導入する際の設計支援を行う。
【００３４】
設計支援装置３０は、制御部３１と、操作部３２と、表示部３３と、記憶部３４とを備える。制御部３１は、建物の設計処理や、その建物に全館空調システムを導入する際の設計支援処理等、各種処理を行うものである。操作部３２は、建物設計及び設計支援処理に際し必要な操作を行うためのもので、キーボードやマウス等を備えて構成されている。操作部３２に対し所定の操作が行われると、その操作に応じた情報が制御部３１に入力される。
【００３５】
表示部３３は、設計された建物の間取りや、設計支援処理の結果等、各種情報を表示するもので、ディスプレイからなる。制御部３１より表示部３３に各種情報が入力されると、その入力された情報が表示部３３に表示される。
【００３６】
記憶部３４には、設計処理により設計された建物の設計データが記憶されている。設計データには、建物の間取りに関する間取りデータが含まれている。また、記憶部３４には、設計支援処理に必要な各種情報が記憶されている。
【００３７】
次に、設計支援装置３０により実行される設計支援処理の流れを図２に基づいて説明する。図２は、設計支援処理の流れを示す機能ブロック図である。なお、設計支援装置３０では、図２中の各ブロック４１〜５０が制御部３１により実現されている。また、ここでは、上述した建物１０（図３参照）に、上記の全館空調システム２０（図３参照）を導入する際に設計支援装置３０を用いることを想定している。図４及び図５には、設計支援装置３０の表示部３３に建物１０の間取り画面Ｃが表示された状態を示しており、以下においては、図２に加え、これら図４及び図５を参照しながら設計支援処理の説明を行う。
【００３８】
図２に示すように、間取り情報取得部４１は、全館空調システムが導入される建物について、その建物の間取りに関する間取り情報を取得する。ここでは、上述したように、上記の建物１０に全館空調システム２０を導入する場合を想定しているため、その建物１０の間取り情報を取得する。具体的には、設計支援装置３０の記憶部３４には、予め建物１０の設計データが記憶されており、間取り情報取得部４１では、その記憶部３４に記憶されている建物１０の設計データに基づいて、当該建物１０の間取り情報を取得する。なお、間取り情報取得部４１が取得手段に相当する。
【００３９】
また、間取り情報取得部４１により取得される建物１０の間取り情報には、当該建物１０の通気部２５に関する情報が含まれている。この情報は、通気部２５が建物１０においていずれの位置に設定されているかに関する通気部位置情報であり、通気部２５として、どのような種類のものが用いられるかに関する情報は含まれていない。
【００４０】
間取り表示部４２は、間取り情報取得部４１により取得された建物１０の間取り情報を間取り画面Ｃとして表示部３３に表示させる。これにより、図４（ａ）に示すように、表示部３３に建物１０の間取り画面Ｃが表示される。なお、間取り表示部４２が表示手段に相当する。
【００４１】
空調機設定部４３は、ユーザ（設計者）による操作部３２の操作に基づき、表示部３３に表示された間取り画面Ｃ上に、空調機２１を設置する設置位置（空調設置位置）を設定する。具体的には、空調機設定部４３は、図４（ｂ）に示すように、間取り画面Ｃ上に空調機２１のアイコン２１ａを表示する。このアイコン２１ａはユーザの操作部３２（詳しくはマウス）によるドラッグ操作により間取り画面Ｃ上における空調機２１の設置位置まで移動され配置されるようになっている。そして、空調機設定部４３は、間取り画面Ｃ上にアイコン２１ａが配置されると、その配置された箇所を空調設置位置として設定する。本実施形態では、空調設置位置が機械室１８に設定されている（図４（ｂ）参照）。
【００４２】
また、空調機２１は、上述したように、機械室１８に流れ込む空調空気を還気として取り込む取込部２３を有している。そのため、空調機設定部４３において、間取り画面Ｃ上に空調機２１の設置位置（空調設置位置）を設定することで、間取り画面Ｃ上に取込部２３（還気部に相当）の設置位置を設定することにもなる。したがって、この場合、空調機設定部４３を、間取り画面Ｃ上に還気部の設置位置を設定する還気部設定手段ということもできる。また、ここでは、取込部２３（還気部）の設置位置が機械室１８に設定されているため、機械室１８が還気空間部に相当する。
【００４３】
吹出口設定部４４は、ユーザによる操作部３２の操作に基づき、間取り画面Ｃ上に吹出口２２を設置する設置位置（吹出設置位置）を複数箇所に設定する。具体的には、吹出口設定部４４は、図５（ｃ）に示すように、間取り画面Ｃ上に吹出口２２のアイコン２２ａを複数表示する。例えば、吹出口設定部４４は、操作部３２の操作により吹出口２２の設置個数がユーザにより入力されると、その入力された個数分のアイコン２２ａを間取り画面Ｃ上に表示する。これらのアイコン２２ａは、ユーザの操作部３２（詳しくはマウス）によるドラッグ操作により間取り画面Ｃ上における吹出口２２の設置位置にそれぞれ移動され配置されるようになっている。そして、吹出口設定部４４は、間取り画面Ｃ上に各アイコン２２ａが配置されると、それら配置された各箇所をそれぞれ吹出設置位置として設定する。本実施形態では、吹出設置位置が６箇所設定され、これら各吹出設置位置が玄関ホール１１、リビングダイニング１２、キッチン１３及び洗面室１５にそれぞれ設定されている（図５（ｃ）参照）。なお、吹出口設定部４４が吹出部設定手段に相当する。また、空調機設定部４３及び吹出口設定部４４により設定手段が構成されている。
【００４４】
還流経路作成部４５は、空調機設定部４３により設定された空調機２１の設置位置（空調設置位置）と、吹出口設定部４４により設定された各吹出口２２の設置位置（吹出設置位置）とに基づいて、各吹出設置位置ごとに、吹出設置位置から空調設置位置へと至るよう還流経路Ｓを間取り画面Ｃ上に作成する。これにより、図５（ｄ）に示すように、作成された各還流経路Ｓが間取り画面Ｃ上に表示される。具体的には、還流経路作成部４５では、間取り画面Ｃ上における屋内空間及び通気部２５を経由するように（換言すると仕切部１９を経由しないように）還流経路Ｓを作成する。なお、以下においては、作成された各還流経路Ｓを区別するために、それら各還流経路Ｓをそれぞれ還流経路Ｓ１〜Ｓ６ともいう。また、還流経路作成部４５が還流経路作成手段に相当する。
【００４５】
経路数判定部４６は、還流経路作成部４５により作成された各還流経路Ｓに基づいて、それら還流経路Ｓに含まれる通気部２５について、当該通気部２５を経由する還流経路Ｓの数を判定する。図５（ｄ）の例では、還流経路作成部４５により作成された還流経路Ｓに複数（具体的には３つ）の通気部２５（以下、通気部２５ａ〜２５ｃという）が含まれている。そして、経路数判定部４６では、それら各通気部２５ａ〜２５ｃごとに、通気部２５ａ〜２５ｃを経由する還流経路Ｓの数を判定する。
【００４６】
具体的には、図５（ｄ）の例では、各通気部２５ａ〜２５ｃのうち、洗面室１５とキッチン１３（詳しくはキッチン１３に続く廊下）との間の仕切部１９に設定された通気部２５ａには、各還流経路Ｓ１〜Ｓ６のうち還流経路Ｓ１のみが経由している。また、リビングダイニング１２（詳しくはリビングダイニング１２から続く廊下）と玄関ホール１１との間の仕切部１９に設定された通気部２５ｂには、各還流経路Ｓ１〜Ｓ６のうち５つの還流経路Ｓ１〜Ｓ５が経由している。また、玄関ホール１１と機械室１８との間の仕切部１９に設定された通気部２５ｃには、各還流経路Ｓ１〜Ｓ６すべてが経由している。したがって、経路数判定部４６では、通気部２５ａについては経由する還流経路Ｓの数を１と判定し、通気部２５ｂについては経由する還流経路Ｓの数を５と判定し、通気部２５ｃについては経由する還流経路Ｓの数を６と判定する。なお、経路数判定部４６が経路数判定手段に相当する。
【００４７】
通気部位置判定部４７は、還流経路作成部４５により作成された還流経路Ｓに含まれる通気部２５ａ〜２５ｃが、還気空間部である機械室１８を区画する仕切部１９に設けられた第１通気部であるのか、それ以外の仕切部１９に設けられた第２通気部であるのかを判定する。図５（ｄ）の例では、各通気部２５ａ〜２５ｃのうち、通気部２５ｃが第１通気部であると判定され、各通気部２５ａ，２５ｂが第２通気部であると判定される。なお、通気部位置判定部４７が通気部位置判定手段に相当する。
【００４８】
個数判定部４８は、通気部位置判定部４７の判定結果に基づいて、還流経路作成部４５により作成された各還流経路Ｓ（換言すると全還流経路Ｓ）に含まれる第１通気部の個数が１つであるのか又は複数であるのかを判定する。図５（ｄ）の例では、第１通気部が通気部２５ｃのみであるため、第１通気部の個数が１つと判定される。なお、個数判定部４８が個数判定手段に相当する。
【００４９】
通気部種類決定部４９は、経路数判定部４６、通気部位置判定部４７及び個数判定部４８の判定結果に基づいて、各通気部２５ａ〜２５ｃについて、その種類を、開口面積の異なる複数種類の通気部候補の中から選んで決定する。図６には、複数種類の通気部候補が示されており、以下ではまずこれらの通気部候補について説明する。図６（ａ）〜（ｄ）に示すように、本実施形態では、通気部候補として、４種類の通気部候補が定められており、記憶部３４には、これら通気部候補に関する情報があらかじめ記憶されている。通気部候補としては、ドア下に形成されるアンダーカット部Ａ（図６（ａ）参照）と、ドアに形成されるドアスリット部Ｂ（図６（ｂ）参照）と、上下に並設された複数のスラットを有する傾斜ルーバＣ（図６（ｃ）参照）及び水平ルーバＤ（図６（ｄ）参照）とがある。これら各通気部候補Ａ〜Ｄはいずれも通気可能な開口部（通気開口部）を有している。アンダーカット部Ａでは、当該アンダーカット部Ａにより開口部が形成され、ドアスリット部Ｂでは、当該スリット部Ｂにより開口部が形成されている。また、傾斜ルーバＣ及び水平ルーバＤでは、上下に隣接するスラット間の各隙間により通気可能な開口部が構成されている。
【００５０】
これら各通気部候補Ａ〜Ｄの開口部は、その開口面積が互いに相違している。具体的には、各通気部候補Ａ〜Ｄの開口部は、その開口面積が、アンダーカット部Ａよりもドアスリット部Ｂの方が大きく、ドアスリット部Ｂよりも傾斜ルーバＣの方が大きく、傾斜ルーバＣよりも水平ルーバＤの方が大きくなっている（Ａ＜Ｂ＜Ｃ＜Ｄ）。したがって、各通気部候補Ａ〜Ｄの中で、最も開口面積の大きい通気部候補は水平ルーバＤとなっている。
【００５１】
傾斜ルーバＣ及び水平ルーバＤについて付言すると、傾斜ルーバＣでは、厚み方向の両側にそれぞれスラットが上下に並べて配設されている。これら各スラットはいずれも水平方向に対して傾斜した向きで配置されており、詳しくは傾斜ルーバＣの厚み方向の両側に配置された各スラットは互いの傾斜向きが反対とされている。傾斜ルーバＣでは、各スラットが傾斜していることで、水平ルーバＤと比べて、光漏れが生じにくく、意匠性の面でも有利となっている。また、水平ルーバＤでは、厚み方向の両側のうち一方側にのみスラットが配設されている。水平ルーバＤでは、各スラットがいずれも水平の向きで配置されており、それにより、スラット間隙間（ひいては開口面積）が傾斜ルーバＣよりも大きくされている。傾斜ルーバＣ及び水平ルーバＤは、仕切部１９においてドアに設けられたり、ドア上方の間仕切壁に設けられたりする。
【００５２】
続いて、通気部種類決定部４９により実行される通気部種類決定処理について図７に示すフローチャートに基づき説明する。なお、通気部種類決定部４９では、各通気部２５ａ〜２５ｃごとに順に通気部種類決定処理が実行される。また、通気部種類決定部４９が通気部種類決定手段に相当する。
【００５３】
図７に示すように、まずステップＳ１１では、通気部位置判定部４７の判定結果に基づき、通気部種類決定処理による処理対象とされている通気部２５ａ〜２５ｃ（以下、対象通気部ともいう）が第１通気部であるか第２通気部であるかを判定する。対象通気部２５ａ〜２５ｃが第１通気部である場合にはステップＳ１２に進み、第２通気部である場合にはステップＳ１５に進む。ここでは、各通気部２５ａ〜２５ｃのうち、通気部２５ｃが第１通気部、通気部２５ａ，２５ｂが第２通気部となっているため、対象通気部が通気部２５ｃである場合にはステップＳ１２に進み、通気部２５ａ，２５ｂである場合にはステップＳ１５に進む。
【００５４】
ステップＳ１５では、経路数判定部４６における判定結果に基づき、第２通気部の種類を各通気部候補Ａ〜Ｄの中から選んで決定する。つまり、本ステップでは、経路数判定部４６にて判定された第２通気部（通気部２５ａ，２５ｂ）を経由する還流経路Ｓの数に基づき、第２通気部の種類を各通気部候補Ａ〜Ｄの中から選んで決定する。具体的には、本ステップでは、第２通気部を経由する還流経路Ｓの数が１又は２の場合には、各通気部候補Ａ〜Ｄの中からアンダーカット部Ａを選び、そのアンダーカット部Ａを当該第２通気部の種類として決定する。また、第２通気部を経由する還流経路Ｓの数が３又は４の場合にはドアスリット部Ｂを選び、そのドアスリット部Ｂを当該第２通気部の種類として決定する。また、第２通気部を経由する還流経路Ｓの数が５以上の場合には傾斜ルーバＣを選び、その傾斜ルーバＣを当該第２通気部の種類として決定する。図５（ｄ）の例では、第２通気部が通気部２５ａ及び通気部２５ｂとされており、それら各通気部２５ａ，２５ｂのうち通気部２５ａを経由する還流経路Ｓの数が１つ、通気部２５ｂを経由する還流経路Ｓの数が５つとなっている。このため、通気部２５ａについては、その種類がアンダーカット部Ａと決定され、通気部２５ｂについては、その種類が傾斜ルーバＣと決定される。
【００５５】
ステップＳ１２では、個数判定部４８の判定結果に基づき、第１通気部が１つであるか複数であるかを判定する。そして、続くステップＳ１３，Ｓ１４では、その判定結果に基づき、第１通気部（通気部２５ｃ）の種類を各通気部候補Ａ〜Ｄの中から選んで決定する。具体的には、第１通気部が１つである場合には、各通気部候補Ａ〜Ｄの中から水平ルーバＤを選び、その水平ルーバＤを当該第１通気部の種類として決定する（ステップＳ１３）。また、第１通気部が複数（例えば２つ）である場合には、各通気部候補Ａ〜Ｄの中から傾斜ルーバＣを選び、その傾斜ルーバＣを当該第１通気部の種類として決定する（ステップＳ１４）。図５（ｄ）の例では、第１通気部が通気部２５ｃ１つであるため、通気部２５ｃについて、その種類が水平ルーバＤと決定される。つまり、第１通気部が１つである場合には、第１通気部（通気部２５ｃ）の種類として、各通気部候補Ａ〜Ｄのうちで最も開口面積の大きい通気部候補Ｄ（水平ルーバＤ）が選ばれ決定される。
【００５６】
図２の説明に戻って、通気部種類表示部５０は、通気部種類決定部４９により決定された各通気部２５ａ〜２５ｃの種類を表示部３３に表示させる。この場合、通気部種類表示部５０では、各通気部２５ａ〜２５ｃの種類を文字（テキスト）で表示したり、図（例えば図６のような図）で表示したりする。
【００５７】
以上、詳述した本実施形態の構成によれば、以下の優れた効果が得られる。
【００５８】
全館空調システム２０が導入される建物１０について、その建物１０の間取り情報が取得されると、その取得された間取り情報が表示部３３に間取り画面Ｃとして表示される。その間取り画面Ｃ上には、ユーザの操作に基づき、各吹出口２２の設置位置（吹出設置位置）と空調機２１（取込部２３）の設置位置（空調設置位置）とが設定され、それら各設置位置が設定されると、各吹出設置位置ごとに吹出設置位置から空調設置位置（換言すると還気設置位置）へと至るよう還流経路Ｓ（Ｓ１〜Ｓ６）が間取り画面Ｃ上に作成される。
【００５９】
各還流経路Ｓが作成されると、それら作成された還流経路Ｓに基づき、それら還流経路Ｓに含まれる通気部２５ａ〜２５ｃについて、その通気部２５ａ〜２５ｃを経由する還流経路Ｓの数が判定される。そして、その判定の結果に基づき、当該通気部２５ａ〜２５ｃについて、その種類が、開口面積の異なる複数種類の通気部候補Ａ〜Ｄの中から選ばれて決定される。これにより、通気部２５ａ〜２５ｃを経由する還流経路Ｓの数が多い場合、つまり当該通気部２５ａ〜２５ｃを流れる空調空気の量が多くなると考えられる場合には、当該通気部２５ａ〜２５ｃの種類として開口面積の大きい通気部候補Ａ〜Ｄを選んで決定することができる。そのため、当該通気部２５ａ〜２５ｃにおいて風切り音の発生を抑制することができる。また、通気部２５ａ〜２５ｃを経由する還流経路Ｓの数が少ない場合、つまり当該通気部２５ａ〜２５ｃを流れる空調空気の量が少なくなると考えられる場合には、当該通気部２５ａ〜２５ｃの種類として開口面積の小さい通気部候補Ａ〜Ｄを選んで決定することができる。そのため、当該通気部２５ａ〜２５ｃにおいて光漏れや意匠性低下の問題が生じるのを抑制することができる。このように、本設計支援システムによれば、全館空調システム２０が導入される建物１０の間取りに応じて、還流経路Ｓに含まれる通気部２５ａ〜２５ｃについて適切な開口面積を有するものを設定することが可能となる。そのため、建物の間取りに応じて適切な還流経路Ｓを設計することが可能となる。
【００６０】
空調機２１（取込部２３）が設けられる機械室１８は、各吹出口２２から吹き出した空調空気が流れ込む空間であるため、他の屋内空間１１〜１７と比べると正圧になり易いと考えられる。このため、機械室１８では、流れ込んだ空調空気が、正圧により通気部２５を通じて機械室１８の外に押し出される場合が想定され、その際に風切り音が発生することが考えられる。
【００６１】
そこで上記の実施形態では、その点を鑑み、間取り画面Ｃ上に作成された還流経路Ｓに含まれる通気部２５ａ〜２５ｃが、還気設置位置が設定された機械室１８（還気空間部）を区画する仕切部１９に設けられた第１通気部であるのか、それ以外の仕切部１９に設けられた第２通気部であるのかを判定し、その判定の結果に基づき、当該通気部２５ａ〜２５ｃの種類を決定するようにしている。具体的には、通気部２５ａ〜２５ｃが第１通気部である場合には、通気部２５ａ〜２５ｃの種類として、各通気部候補Ａ〜Ｄの中から比較的開口面積の大きい通気部候補であるルーバＣ，Ｄを選ぶこととしている。これにより、通気部２５ａ〜２５ｃが第１通気部（上記実施形態では通気部２５ｃが第１通気部となっている。）である場合には、その種類を開口面積の比較的大きなものとすることができるため、風切り音の発生を好適に抑制することができる。
【００６２】
ところで、機械室１８（還気空間部）を区画する仕切部１９に設けられた第１通気部の数が１つである場合には、第１通気部の数が複数である場合と比べ、機械室１８に空調空気が流れ込んだ際正圧になり易いと考えられる。そのため、機械室１８において風切り音が発生し易くなると考えられる。そこで、上記の実施形態では、その点を鑑みて、第１通気部の数が１つであるか複数であるかを判定し、その判定の結果に基づいて、第１通気部の種類を決定するようにしている。これにより、第１通気部（上記実施形態では、第１通気部が通気部２５ｃ）の数が１つである場合には、第１通気部の種類を開口面積の大きいものとすることで、風切り音の発生を好適に抑制することができる。
【００６３】
具体的には、第１通気部の数が１つである場合には、複数種類の通気部候補Ａ〜Ｄの中で開口面積の最も大きい通気部候補Ｄを選んで決定することとした。これにより、第１通気部の数が１つである場合に、風切り音の発生を確実に抑制することができる。
【００６４】
より具体的には、開口面積の最も大きい通気部候補Ｄは水平ルーバＤとされているため、第１通気部の数が１つである場合に、光漏れや意匠性の低下を抑制しながら、風切り音の発生を確実に抑制することができる。
【００６５】
本発明は上記実施形態に限らず、例えば次のように実施されてもよい。
【００６６】
・上記実施形態では、還流経路作成部４５により作成された各還流経路Ｓに含まれる第１通気部の数が１つである場合を例として説明を行ったが、第１通気部の数が複数である場合も想定されうる。図８には、建物１０とほぼ同じ間取りを有する建物６０が示されており、この建物６０は、機械室１８を区画する仕切部１９に２つの通気部２５が設定されている。これらの通気部２５は機械室１８を挟んで対向する各仕切部１９にそれぞれ設けられ、各通気部２５のうち通気部２５ｃが玄関ホール１１と機械室１８との間の仕切部１９に設定され、通気部２５ｄが洗面室１５と機械室１８との間の仕切部１９に設定されている。
【００６７】
図８には、上記建物６０の間取り上に、還流経路作成部４５により作成された各還流経路Ｓが併せて示されている。図８の例では、各還流経路Ｓのうち、洗面室１５の吹出口２２からの還流経路Ｓが通気部２５ｄを経由し、それ以外の吹出口２２からの還流経路Ｓが通気部２５ｃを経由している。この場合、各通気部２５ｃ，２５ｄは、機械室１８を区画する仕切部１９に設けられているため、それぞれ第１通気部となる。そのため、図８の例では、作成された各還流経路Ｓに第１通気部が２つ含まれていることになる。したがって、本例においては、図７のステップＳ１２にて、第１通気部が複数であると判定され、その判定の結果、各第１通気部（各通気部２５ｃ，２５ｄ）について、その種類として各通気部候補Ａ〜Ｄの中から傾斜ルーバＣが選ばれて決定されることとなる（ステップＳ１４）。
【００６８】
・上記実施形態では、作成された還流経路Ｓに含まれる通気部２５ａ〜２５ｃが第１通気部である場合には、その第１通気部が１つであるか複数であるかに基づき、当該第１通気部の種類を決定するようにしたが、これを変更してもよい。例えば、作成された還流経路Ｓに含まれる通気部２５ａ〜２５ｃが第１通気部である場合にも、第２通気部である場合と同様に、第１通気部を経由する還流経路Ｓの数に基づき、当該第１通気部の種類を決定するようにしてもよい。その場合でも、第１通気部を経由する還流経路Ｓの数が多い場合、つまりは当該第１通気部を通過する空調空気の量が多くなると考えられる場合には、当該第１通気部の種類として、開口面積の大きい通気部候補を選んで決定するようにすることで、当該通気部において風切り音の発生を抑制することができる。
【００６９】
・上記実施形態では、通気部種類決定部４９において、通気部２５ａ〜２５ｃの種類を、開口面積の異なる４種類の通気部候補Ａ〜Ｄの中から選んで決定するようにしたが、通気部候補Ａ〜Ｄは必ずしも４種類である必要はなく、２種類や３種類、又は５種類以上としてもよい。例えば、通気部候補を３種類とする場合、上記実施形態の４種類の通気部候補Ａ〜Ｄの中から、アンダーカット部Ａ又はドアスリット部Ｂのいずれかを通気部候補から除外することが考えられる。
【００７０】
・上記実施形態では、取込部２３（還気部）が空調機２１に設けられている場合を例に説明を行ったが、取込部（還気部）が空調機２１に設けられておらず、空調機２１とは別の場所に設けられている場合もある。例えば、還気部が、屋内空間の天井や床等に還気口（還気グリル）として設定されることが考えられる。その場合、その還気口が空調機２１と通気ダクトを介して接続される。かかる構成では、各吹出口２２より吹き出された空調空気がその還気口に還気として取り込まれ、その取り込まれた還気が通気ダクトを介して空調機２１に供給される。そして、その供給された還気をもとに空調機２１において空調空気が生成される。
【００７１】
還気部が、こうした還気口となっている場合には、上述した空調機設定部４３に代えて、ユーザの操作に基づき、還気口を設置する設置位置（還気設置位置）を間取り画面Ｃ上に設定する還気口設定部（還気部設定手段に相当）を設ければよい。そして、還気口設定部にて設定された還気口等に基づき、その還気口へと至るよう還流経路を間取り画面Ｃ上に作成するようにすればよい。
【００７２】
・上記実施形態では、間取り情報取得部４１により取得される建物１０の間取り情報に、通気部２５としてどのような種類のものが用いられるかに関する情報が含まれていなかったが、かかる情報が仮情報（デフォルト情報）として含まれているようにしてもよい。例えば、各通気部２５の種類がアンダーカット部Ａとされている旨の情報を仮情報として含めておくことが考えられる。この場合、通気部種類決定部４９による通気部２５の種類の決定に際しては、通気部２５の種類が、アンダーカット部Ａから同決定部４９により決定される種類に置き換えられることになる。
【００７３】
・上記実施形態では、空調機設定部４３において、ユーザによる操作に基づき、表示部３３に表示された間取り画面Ｃ上に空調設置位置を設定し、吹出口設定部４４において、同じくユーザによる操作に基づき、間取り画面Ｃ上に吹出設置位置を設定したが、これを変更してもよい。例えば、空調機設定部において、間取り情報取得部４１により取得した建物１０の間取り情報に基づき、その間取り情報上に空調設置位置を設定し、吹出口設定部において、同じく取得した建物１０の間取り情報に基づき、その間取り情報上に吹出設置位置を設定することが考えられる。この場合、建物１０の間取りに応じて空調設置位置と吹出設置位置とが自動で設定されるため、還流経路を設計する上でその作業を容易とすることができる。
【００７４】
なお、上記のように空調設置位置及び吹出設置位置を設定する場合には、必ずしも建物１０の間取り画面Ｃを表示部３３に表示させる必要はない。その場合、還流経路作成部４５では、間取り情報取得部４１により取得された建物１０の間取り情報（非表示情報）上に還流経路を作成することになる。
【００７５】
また、建物１０の間取り情報に基づき空調設置位置及び吹出設置位置を設定するにあたっては、例えば建物１０の間取り情報に基づき、建物１０内の各屋内空間のうち機械室に空調設置位置を設定し、居室空間に吹出設置位置を設定することが考えられる。より具体的には、吹出設置位置の設定に際しては、例えば居室空間の面積に応じて吹出設置位置の数を設定するとともに、それら吹出設置位置の配置位置を（例えば予め定められた所定の間隔をあけて）設定することが考えられる。また、吹出設置位置の設定に際しては、例えば窓付近に吹出設置位置を設定する等してもよい。
【００７６】
・上記実施形態では、本発明における設計支援システムを、一の装置（詳しくは設計支援装置３０）により構成したが、これを変更して、インターネット等のネットワークを介して相互に接続された複数の装置により構成してもよい。例えば、設計支援システムを、建物の設計機能を有する設計装置と、その建物に全館空調システムを導入する際の設計支援機能を有する設計支援装置とを有して構成することが考えられる。この場合、設計装置により建物１０を設計し、その設計した建物１０の設計データをネットワークを通じて設計支援装置へ取り込むようにする（送信するようにする）。そして、設計支援装置では、その取り込んだ設計データに基づき、建物１０の間取り情報を取得し、その取得した間取り情報に基づき設計支援処理（図２）を行うようにすることが考えられる。
【符号の説明】
【００７７】
１０…建物、２０…全館空調システム、１９…仕切部、２１…空調機、２２…吹出部としての吹出口、２３…還気部としての取込部、２５…通気部、２５ａ，２５ｂ…第２通気部としての通気部、２５ｃ…第１通気部としての通気部、３０…設計支援装置、３３…ディスプレイとしての表示部、４１…取得手段としての間取り情報取得部、４２…表示手段としての間取り表示部、４３…設定手段を構成する空調機設定部、４４…設定手段を構成する吹出口設定部、４５…還流経路作成手段としての還流経路作成部、４６…経路数判定手段としての経路数判定部、４７…通気部位置判定手段としての通気部位置判定部、４８…個数判定手段としての個数判定部、４９…通気部種類決定手段としての通気部種類決定部。
【図１】
2019046393.tif 000003
【図２】
2019046393.tif 000004
【図３】
2019046393.tif 000005
【図４】
2019046393.tif 000006
【図５】
2019046393.tif 000007
【図６】
2019046393.tif 000008
【図７】
2019046393.tif 000009
【図８】
2019046393.tif 000010